Podtech/llm-jp-corpus-v4-ja_patent huggingface dataset:
(57)【要約】【課題】市販されるメラミンフォームや圧縮メラミンフォームと着色汚れを除去するプロセスが異なり、安全であることを重視し且、亀裂破壊の発生率を極限まで抑え、清掃時に出る粒子脱落量を減少することで環境に優しく、洗濯機を使用することで「くり返し」使用可能なメラミンフォームペーパーの開発を課題とした。【解決手段】熱可塑性樹脂の表面部分のみを溶解し、その粘性を利用してメラミンフォーム粒子を含浸固定することでメラミンフォームペーパーが完成した。【選択図】図４
2019034097.tif 000002
【特許請求の範囲】
【請求項１】
熱可塑性樹脂片側平面に、メラミンフォーム粒子を含浸溶着したことを特徴とする清掃用具。
【請求項２】
請求項１の清掃用具であって、メラミンフォーム粒子を両平面に含浸溶着したことを特徴とする清掃用具。
【請求項３】
請求項１及び２記載の清掃用具であって、その厚さが１ｍｍ以下であることを特徴とする清掃用具。
【発明の詳細な説明】
【技術分野】
【０００１】本発明は、メラミンフォームペーパー商品に関する。
【背景技術】
【０００２】メラミンフォームにおける加工方法は下記に示す特許文献などに記載されている。【０００３】
【特許文献１】特開平５−３０１２９１号公報
【特許文献２】特開平４−３４８９３４号公報
【特許文献３】特許第３６７４９０７号公報
【特許文献４】特許第４９６３５５２号公報上記した特許文献の他にも多数の文献が存在する。
【発明の開示】
【発明者が解決しようとする課題】
【０００４】本発明者は、メラミンフォーム使用時における強度上昇方法に対し、独自で研究開発した製品を特許出願により発表してきた。しかし、下記した製品別評価表（表１）から理解できるように全項目において優れているメラミンフォームは完成しておらず、これを今回の課題とした。
【０００５】
【表１】
2019034097.tif 000003
【０００６】上記した表１、３熱可塑性樹脂含浸メラミンフォームにおいて亀裂破壊の発生率が「全体の亀裂破壊はない」と記載された理由は、本発明者が現在カットできるメラミンフォーム最低厚さ２ｍｍを加熱圧縮し、厚さ０．３〜０．５ｍｍとしたものに熱可塑性樹脂を含浸した場合においても、全体の亀裂破壊（全体がバラバラになる）は確認することができなかった反面、圧縮メラミンフォーム部分には亀裂破壊が発生するためである。又、この３熱可塑性樹脂含浸メラミンフォームにおける加工費用は、カット（スライスカット含む）、加熱圧縮、熱可塑性樹脂含浸と３工程必要であるため、量産することが難しく、加工費用も増加、メラミンフォームの使用量も、減少することはない。
【課題を解決するための手段】
【０００７】熱可塑性樹脂の表面部分のみを溶解し、その粘性を利用してメラミンフォーム粒子を含浸固定し、その厚さはペーパーと呼べる１ｍｍ以下とし、洗濯可能とする。
【発明の効果】
【０００８】熱可塑性樹脂の表面部分のみを溶解し、その粘性を利用してメラミンフォーム粒子を含浸固定することで製造に関するメリットは下記に示す通りである。
【０００９】メラミンフォームの使用量が激減することに加え、加熱圧縮、各種カット工程の必要性がなくなることにより、量産が可能となりコストダウンとなった。
【００１０】安全性、環境面から考察しても、亀裂破壊の発生率は低く、清掃時粒子脱落量も激減することから、口腔内歯面着色汚れ除去に使用した場合においても誤飲は少なく、キッチン用品の清掃用として使用した場合においても、排水管等を通って排出される量も激減し環境にも優しい製品となった。
【００１１】サンドペーパーと同等の構成となることから、着色汚れ除去に使用した後、その汚れがメラミンフォーム粒子間に止まり目詰まりすることはあるが、部分的な「揉み洗い」又は、ネットに入れ洗濯機（脱水可）での洗いも可能である。
【発明を実施するための最良の形態】
【００１２】以下、本発明を実施するための最良の形態を図をもって説明する。【００１３】メラミンフォームが驚異的に着色汚れを除去するプロセスを示したイメージ図が、図１であり、その顕微鏡写真が図４で、それを説明すると下記となる。【００１４】メラミンフォームは、気泡６を取り巻く構成壁１からなる熱硬化性樹脂発泡体であり、構成壁１内の粒子１Ａ結合力がエネルギー弾性と異なり、ゴム弾性（エントロピー弾性）のため弱く、「ボロボロ」と剥離破壊した剥離粒子１Ｂが左右に移動することで「砂消しゴムの原理」同様に、テーブル２に付着した着色汚れ５を除去する。そして、その粒子１Ａ硬度がモース硬度２〜３程度（炭酸カルシウムと同等）と硬く且、粒子１Ａ直径が炭酸カルシウムの３０〜５０μｍに対し、１μｍ以下と極小であることでテーブル２表面凹凸に入り込んだ着色汚れ５を驚異的に除去することが可能となる。【００１５】しかし、その粒子１Ａ結合力が弱いことが原因となって、握った部分を主に「亀裂破壊３」が発生し、「ボロボロに破壊」され使用不可能となり廃棄されることとなる。図２は、加熱圧縮し構成壁１の嵩密度を上昇させた圧縮メラミンフォームの粒子１Ａの結合を示したものであり、この場合においても、テーブル２に付着した着色汚れ５を除去するプロセスは同様であり、その除去力も実験の結果同等といえ、亀裂破壊３の発生率は、嵩密度が上昇することで改善するが、再利用及び洗濯機を使用しての洗いは不可能である。【００１６】図３が本発明における粒子１Ａの結合を示したイメージ図であり、熱可塑性樹脂（補強材）４の両面を溶解し、メラミンフォーム粒子１Ａを含浸固定した状態を示したものである。この方法を使用して製品を製造することで、従来のメラミンフォームのように、脱落する剥離粒子１Ｂによって着色汚れを主に除去する「砂消しゴム」の原理とは異なり、熱可塑性樹脂（補強材）４に含浸固定された粒子１Ａを主に着色汚れを除去する「サンドペーパー」の原理に似たものとなることで、メラミンフォームの使用量は激減し、圧縮工程も不必要となった。加えて、粒子１Ａの結合力が含浸材により補強され剥離粒子１Ｂの量も減少した。【００１７】本体部分の亀裂破壊３に対しても、熱可塑性樹脂（補強材）４により、部分的な撮み洗い（揉み洗い）や、衣類と共にネットに入れての洗濯機使用も可能で、脱水に対しても問題はない。そして、この熱可塑性樹脂（補強材）４は、２層又は３層となった特殊素材を使用することが好適であり、この樹脂は表層部の溶解温度が中心部分より低いため、粒子１Ａの結合と補強の両面共に都合がよい。【００１８】又、剥離粒子１Ｂが減少したことで、口腔内使用に対しても安全に使用することが可能となった。
【図面の簡単な説明】
【００１９】
【図１】メラミンフォーム粒子結合と、着色汚れ除去の仕組を示したイメージ正面図。
【図２】圧縮メラミンフォーム粒子結合と、着色汚れ除去の仕組を示したイメージ正面図。
【図３】本発明メラミンフォーム粒子結合と、着色汚れ除去の仕組を示したイメージ正面図。
【図４】メラミンフォームの構造を示す顕微鏡（×１０００倍）写真。
【符号の説明】
【００２０】１．構成壁
１Ａ．粒子
１Ｂ．剥離粒子
２．テーブル
３．亀裂破壊
４．熱可塑性樹脂（補強材）
５．着色汚れ
６．気泡
【図１】
2019034097.tif 000004
【図２】
2019034097.tif 000005
【図３】
2019034097.tif 000006
【図４】
2019034097.tif 000007
(57)【要約】      （修正有）【課題】洗濯終了後の物干し作業を，限られた狭い場所でも簡単に，早く完了させるための物干し台を提供する。【解決手段】縦型多段式物干し台１の，ほぼ中央部に立柱２を上下方向に設置し，その立柱２の上下方向に，手動回転自在に，物干し棒３を複数個取り付けたものである。【選択図】図２
2019034095.tif 000002
【特許請求の範囲】
【請求項１】
床面や壁面に縦方向に設置した，立柱に水平方向の回転自在に遊嵌した，物干し棒を，上下方向に複数段附設した，縦型多段式物干し台。
【発明の詳細な説明】
【技術分野】
【０００１】  本発明は、洗濯終了後の物干し作業を，限られた狭い場所でも簡単に，早く完了させるための物干し台である。
【背景技術】
【０００２】  従来の物干し台は，横長方向に，物干し棒を使って物干しをするか，水平方向に複数本の物干し棒が，円形状に並んで取り付けられた，物干し器具が主流であった。
【発明の概要】
【発明が解決しようとする課題】
【０００３】  以上に述べた、従来のやり方では，物干し場のような作業を，人の動きも含めて，広い場所が必要であった。【０００４】  本発明は、従来のやり方とは異なり、洗濯機の近くの狭い場所でも，水平方向に回転する，物干し棒の位置を調整することに依って，作業が可能であり，物干し作業を楽に終えることが出来るものである。
【課題を解決するための手段】
【０００５】  本発明は、上記の目的を達成するために、縦方向に設置した立柱に，水平方向に回転できる物干し棒を，上下方向に複数段取り付けたものである。
【発明の効果】
【０００６】  本発明の、縦型多段式物干し台は，限定された狭い場所でも，簡単に早く物干し作業を行うことが出来る。
又，物干しに使用しない時は，物干し棒を，人の動きに影響しない方向へ回転させて，折り畳むことが出来るものである。
【図面の簡単な説明】
【０００７】
【図１】  本発明の縦型多段式物干し台の使用時の平面図
【図２】  本発明の縦型多段式物干し台の使用時の正面図
【図３】  本発明の縦型多段式物干し台の使用しない状態の平面図
【発明を実施するための形態】
【０００８】  以下、本発明の実施の形態を、図１，図２，図３，に基ずいて説明する。
【０００９】  図１，図２，図３において，縦型多段式物干し台１の，ほぼ中央部に立柱２を上下方向に設置し，  その立柱２の上下方向に，手動回転自在に，物干し棒３を複数個取り付けたものである。
但し４は床面に取り付けるための器具であり，５は壁等に取り付けるための器具で，６は物干し棒の固定金具である。
【００１０】  以上のように構成した、縦型多段式物干し台は，限定された狭い場所においても，洗濯物を簡単に早く物干しを完了することが出来るものである。
【符合の説明】
【００１１】１  縦型多段式物干し台    ２  立柱
３  物干し棒              ４  床面取付具
５  壁面取付具            ６  固定金具
【図１】
2019034095.tif 000003
【図２】
2019034095.tif 000004
【図３】
2019034095.tif 000005
(57)【要約】【課題】本発明は安眠の環境を整えるために重要とされる、筋肉に無理が掛からないとされる姿勢の確保をマットによらす、アットの下に敷き込むボードで安眠補助を提供する。【手段】ボード移動が容易に出来るように掴み用穴をボードの片側の両端にもうける。ボード上面のエッジ全集周にマットレスとの接触を滑らかにする法面を設ける。ボード中央部にダニ取シートが置ける落とし込み部を設ける。この落とし込み部に通気孔を無数設ける。ボードの厚さ調整にはボードの増設で対応し、組み込み、取り外しが出来るように設ける。【選択図】図１
2019034094.tif 000002
【特許請求の範囲】
【請求項１】
ボードの片側両端に掴み用穴を設けた安眠補助ボード。
【請求項２】
ボード上面のエッジ全周に面取りを行い法面を設けた安眠補助ボード。
【請求項３】
ボード中央部分に落とし込み部が設けられた安眠補助ボード。
【請求項４】
落としこみ部に通気孔が設けられた安眠補助ボード。
【請求項５】
増設ボードが組み込み、取り外しが出来る安眠補助ボード。
【発明の詳細な説明】
【技術分野】
【０００１】本発明は寝具のマットレス及び敷き布団の下に敷き込み、背骨の曲り部を支持し安眠を補助する安眠補助具に関するものである。
【背景技術】
【０００２】従来、安眠の環境を整える為に重要とされる、筋肉に無理が掛からない姿勢の確保がマット内のスプリングの強度調整および樹脂マットの硬度調整によりなされており、敷布団においては綿の詰め込み量の調整でなされているのが現状である。
【発明の開示】
【発明が解決しようとする課題】
【０００３】  人は一晩で２０〜３０回寝返りを打つとされております。仰臥の姿勢が一番筋肉に無理が掛からないとされ、仰臥の時間の割合が多ければ疲労がとれ深い眠りがとれと言われています。よって仰臥の姿勢での姿勢維持が重要となります。仰臥の姿勢維持で重要なのは背骨のＳ字曲りと腰の部分とが２〜３ｃｍあく姿勢の確保にあります。現状ではこのＳ字形の確保はマット本体内の仕組みで対応がなされており、身長差、体重差によるＳ字形確保ポイントのズレへの対応がなされていません。
本発明は以上の問題点を解決するためマットレス又は敷布団の下側に安眠補助ボードを敷き込み、ボードの移動でＳ字形確保ポイントのズレに対応出来るようになされたものである。
【課題を解決するための手段】
【０００４】  ボード移動が容易に出来るように掴み用穴をボード片側の両端に設ける。
ボード上面エッジ全周にマットレスとの接触を滑らかにする法面を設ける。
ボードの中央部にダニ取シートなどが置ける落とし込み部を設ける。この落とし込み部に通気孔を無数設ける。ボードの厚さ調節にはボートの増設で対応する。増設ボードは、組み込み、取り外しが出来るように設ける。
本発明は以上の構成よりなる、安眠補助ボードである。
【発明の効果】
【０００５】  本発明を使用すると個人専用のＳ字形確保ポイントに安眠補助ボードを合わせることが出来るようになります。敷き込んだボードでマットが押し上げられ、この押上げで背骨のＳ字曲りが支持され、姿勢が安定され安眠が補助されます。
【発明の実施すための最良の形態】
【０００６】以下、本発明の実施の形態を説明する。
（イ）本体ボード（１）に落とし込み部（２）を設け、通気孔（４）を設ける。ボード外周に法面（５）を設け、ボード掴み用穴（３）を設ける
（ロ）増設ボード（８）に本体ボード（１）への差し込みダボ（７）を設け、掴み用穴（９）と通気孔（１０）を設ける。
本発明は以上の構成よりなる。
本発明を使用する場合は、本体ボードのみで使用するか、増設ボードを組み込んだ複数のボードで使用するか決めてから、マットレス長手方向を支点にして起こして、マットレスの下にボードをいれる。ボードをズラス場合、掴み用穴部を掴んで目的の位置に合わせる。
【図面の簡単な説明】
【０００７】
【図１】本発明の平面図
【図２】は図１の平面図にいれた切断線Ａ−Ａ線に沿って切断した断面図である。
【図３】本発明の斜視図
【図４】本発明の分解斜視図
【図５】本発明の使用状態を示す図
【符号の説明】
【０００８】１  本体ボード
２  落としこみ部
３  掴み用穴
４  通気孔
５  法面
６  ダボ穴
７  ダボ
８  増設ボード
９  掴み用穴
１０  通気孔
１１  マットレス
１２  安眠補助ボード
１３  Ｓ字型確保ポイント
【図１】
2019034094.tif 000003
【図２】
2019034094.tif 000004
【図３】
2019034094.tif 000005
【図４】
2019034094.tif 000006
【図５】
2019034094.tif 000007
(57)【要約】【課題】何度も利用が出来て地球環境に優しく、下着感覚で体に優しい女性用軽度尿漏れ・おりもの等対策用具の作成。【解決手段】上側が吸水性、下側が撥水性の袋状の外生地１と吸水性と撥水性の生地を用いた中生地５、６、７を縫合したものを用いることにより、使い捨てのものと違って何度も洗濯をして再利用を可能とし、使い捨てによって出ていたゴミを少なくして地球環境に優しく、経済的であり、下着感覚で体に優しいものとした。【選択図】図１
2019034099.tif 000002
【特許請求の範囲】
【請求項１】
排尿の前後の尿漏れ又はおりもの等の時に使用することにより下着の汚れを防止する袋状の外生地１、中生地５、６、７で構成する布製で、何度も洗って再利用でき、中生地を出し入れ可能にしているので、洗濯後の乾燥を容易にした女性用軽度尿漏れ・おりもの等用布製品。
【発明の詳細な説明】
【技術分野】
【０００１】    本発明は、再利用を可能にした女性用軽度な尿漏れ、おりもの等用布製品に関する。
【背景技術】
【０００２】    従来の女性用尿漏れ用等の用品は使い捨てのものであり、再利用が出来ずゴミとして廃棄され地球環境に優しいものではないという問題点があった。
【発明の概要】
【発明が解決しようとする課題】
【０００３】    以上に述べた従来の女性用尿漏れ用等の用品は、使い捨てで再利用が出来なかった。【０００４】    本発明は、このような従来の用品が有していた問題を解決しようとするものであり、再利用を可能とすることで地球環境に優しいものとし、下着感覚での装着を実現することを目的とするものである。
【課題を解決するための手段】
【０００５】    そして、本発明は上記目的を達成するために袋状にした外生地１に、縫合した中生地５、６、７を入れたものを装着することにより下着感覚での装着を可能とし、水分が下着に漏れるのを防ぎ、また、何度も洗って使用出来ることによりゴミの廃棄量を少なくすることができる。
【発明の効果】
【０００６】    袋状の外生地１の下側および中生地の下側に中生地７の撥水加工生地を２重に用いることにより、尿漏れ等を吸収した後下着を汚さず、下着感覚で体に優しく、何度も洗って使用出来るので、使い捨てのものと比べてゴミの量を減らすことができ、地球環境に優しい効果があり、また、経済的であるものとなる。
【図面の簡単な説明】
【０００７】
【図１】  本発明に係る女性用軽度尿漏れ・おりもの等用布製品の外観図である。
【図２】  本発明に係る中生地の基本構造を示す図面である。
【図３】  本発明に係る女性用軽度尿漏れ・おりもの等用布製品の寸法および袋状の外生地の縫合部の寸法図である。
【図４】  本発明に係る中生地の寸法および縫合部の寸法図である。
【発明を実施するための形態】
【０００８】    以下、本発明の実施の形態を図１〜図４に基づいて説明する。
【０００９】    図１は本発明に係る女性用軽度尿漏れ・おりもの等用布製品の完成形を示し、袋状の外生地１に開口部３より中生地５，６，７を縫合したものを挿入したものである。また、図３より中央部を縫合し、開口部を４ヵ所設けているのは、挿入した中生地が外に出ないようにしたものであり、また、中生地を取り出すことにより外生地と分けて洗濯が出来、外生地の乾燥を容易にするためのものである。また、装着時に袋状の外生地１の下側の前後もしくはどちらか一方に、２×２ｃｍ程度の両面テープを使用することで、より下着との一体感が増すことが出来る。
【００１０】    図２は中生地の構成図を示し、中生地５を上側に、中生地６を中側に、中生地７を下側に配置して、３枚を合わせて図４に示すように縫合したものである。中生地も開口部４を４ヵ所設けているのは洗濯後の乾燥を容易にするためのものである。
【符号の説明】
【００１１】  １  袋状の外生地    上側は吸水性のある生地、下側は撥水加工の生地
２  縫合部
３  開口部    ボタンホールステッチ加工
４  開口部    ボタンホールステッチ加工
５  中生地    吸水性のある生地（例えばタオル生地等）
６  中生地    吸水性のある生地（例えばタオル生地等）
７  中生地    撥水加工の生地
【図１】
2019034099.tif 000003
【図２】
2019034099.tif 000004
【図３】
2019034099.tif 000005
【図４】
2019034099.tif 000006
【手続補正書】
【提出日】平成30年1月18日(2018.1.18)
【手続補正１】
【補正対象書類名】特許請求の範囲
【補正対象項目名】請求項１
【補正方法】変更
【補正の内容】
【請求項１】
排尿の前後の尿漏れ又は、おりもの等の時に使用することにより下着の汚れを防止する袋状の外生地１と、長手側に前後に２か所ずつ開口部を設けた中生地５，６，７で構成する布製で、何度も洗って再利用でき、中生地を出し入れ可能にしているので、洗濯後の乾燥を容易にした女性用軽度尿漏れ・おりもの等用布製品。
(57)【要約】【課題】従来の洋風便器の便座は男性が小便を座ってするときに、大便時と同様にズボンをずらして行う必要があり、面倒だという問題があった。この最大の問題は従来の便座が洋風便器の奥側に背中を向け前向きにしか着座できない点にあった。【解決手段】便座の洋風便器前側部分に洋風便器の奥側に向かって座る奥向き着座部を設けた。これにより、男性が小便をするときに胸を洋風便器の奥側向けたまま洋風便器と便座を跨いで奥向きに着座することができ、しかも、背中側すなわち背面側が洋風便器前面側になるので背面側に機器的な制約がなく、お尻の前後位置をズボンチャックから出した陰部前面に適切な空間を取れる位置にして、座して容易に小便ができるのである。【選択図】図３
2019034098.tif 000002
【特許請求の範囲】
【請求項１】
洋風便器の便座であって、便座の洋風便器奥側対応する部分に胸を洋風便器前側に向けて座る前向き着座部を設けた便座において、前記便座の洋風便器前側に対応する部分に胸を奥側に向けて座る奥向き着座部を設けたことを特徴とする洋風便器の便座。
【発明の詳細な説明】
【技術分野】
【０００１】本発明は、洋風便器の便座に関するものである。
【技術背景】
【０００２】  従来の洋風便器の便座は、第１図、第２図に示すように、便座（Ａ）の洋風便器（１）奥側部分（２）に、胸を洋風便器（１）のロータンク（２）のある奥側に対し反対側の前側に向けて座り、お尻の座骨部分が接する前向き着座部（３）が設けられていた。この場合男性は便座（Ａ）に座って小便をするときは第２図に示すように背中を洋風便器（１）奥側に背中を向け、胸を洋風便器（１）の前側に向けて座り、大便をする時と同様にズボンをずらして小便を行っていた。
【先行技術文献】
【０００３】衛生器具メーカーＴＯＴＯの「住宅＆パブリックカタログ２０１７」Ｐ１４６
【発明の概要】
【発明が解決しようとする課題】
【０００４】  従来の洋風便器の便座は、男性が小便を座って行うとき、背中を洋風便器奥側に向けて座り、ズボンをずらして小便しなければならず、面倒である問題があった。【０００５】  本発明は便座の形状を工夫することにより、男性が小便を座って行いながら、ズボンを大便の時のようにずらさなくてもズボンチャックを開けて容易にできるようにする点にある。
【課題を解決するための手段】
【０００６】本発明は上記目的を達成するために、洋風便器の便座において、前記便座の洋風便器の前側に対応する部分に胸を洋風便器の奥側に向けて着座する奥向き着座部を設けたのである。【０００７】上記課題を解決する手段の作用は次の通りである。すなわち便座の洋風便器前側に対応する部分に胸を奥側に向けて着座することのできる奥向き着座部を設けたから、男性が便座に座るときにズボンをずらさずに股を開いてそのまま便器・便座を跨ぎ、胸を奥に向けて着座することができるのであり、このときお尻が便座の洋風便器前側に位置するので洋風便器に蓋やロータンクがあっても、またシャワートイレ付便座で洋風便器奥側部分に機器収納部などがあってもお尻を置く前後位置にそれらによる制約がなく、お尻の前後位置を調節して陰部前面に適切な空間が確保できるのである。
【発明の効果】
【０００８】以上述べたように本発明の洋風便器の便座は洋風便器の奥側に胸を向けて座れるようにしたので、背面側に体の移動の制約がなく、お尻の前後位置を調節して陰部前面に適切な空間が確保できるので、男性は、座ってズボンチャックから陰部を出し容易に小便ができるのである。
【図面の簡単な説明】
【図１】  従来便座を洋風便器に装着した平面図
【図２】  従来便座を洋風便器に装着した側面図
【図３】  本発明の実施形態の便座を洋風便器に装着した平面図
【図４】  本発明の実施形態の便座を洋風便器に装着した側面図
【発明を実施するための形態】
【０００９】  以下、本発明の実施の形態を図３、図４に基づいて説明する。
【００１０】  第３図において（Ａ）は本実施例の便座で、洋風便器（１）のロータンク（２）のある奥側部分にお尻の座骨部分が接する奥側着座部（３）を設けており、前記洋風便器（１）の前側部分に人が胸を洋風便器（１）の奥側に向けて座ったとき、お尻の座骨部分を受ける後ろ向き着座部（４）を設けている。
【００１１】  この後ろ向き着座部（４）は平均的な成人男子の左右の座骨を受ける幅をもたせている。また、長さは従来のものと同様でもよいが、本実施例のように座り心地をよくするために従来より前側に長くして、洋風便器（１）先端よりある程度前に出してもよい。
【００１２】以下、上記構成の作用を第２図で説明する。便座（Ａ）の洋風便器（１）前側に対応する部分に胸を奥側に向けて着座することのできる奥向き着座部（４）を設けたから、男性が便座（Ａ）に座るときにズボンをずらさずに股を開いてそのまま洋風便器（１）・便座（Ａ）を跨ぎ、胸を奥に向けて着座することができるのであり、このときお尻の座骨が便座（Ａ）の洋風便器（１）前側に位置するので洋風便器（１）に蓋（図示せず）やロータンク（２）があっても、またシャワートイレ付便座で洋風便器（１）奥側部分に機器収納部（５）などがあってもお尻を置く前後位置にそれらによる制約がなく、お尻の前後位置を調節して陰部前面に適切な空間が確保できるのである。このことにより、男性は、座ってズボンチャックから陰部を出し容易に小便ができるのである。
【００１３】  また、一般に洋風便器（１）を設置する部屋またはブース（以下、便室という）の出入り口は洋風便器（１）の前側に近い位置にあり、奥向きに便座（Ａ）に座れるようにすることにより、便室に入ったとき体を前向きの態勢に回転することなく、そのまま奥に向かって座ることができるので、容易に着座できるのである。このことは介護や杖を必要とする男性が小便をするときに特に有効である。
【符号の説明】
【００１４】（Ａ）  便座
（１）  洋風便器
（２）  ロータンク
（３）  前向き着座部
（４）  後ろ向き着座部
（５）  シャワートイレの機器収納部
【図１】
2019034098.tif 000003
【図２】
2019034098.tif 000004
【図３】
2019034098.tif 000005
【図４】
2019034098.tif 000006
(57)【要約】【課題】深い積雪や硬い氷上でも極めて滑り止め効果を有効に発揮できる滑り止め用タイヤカバーの提供。【解決手段】  シート体から成る布製のタイヤカバー（１）であって、タイヤトレッドを覆う部分であるカバー接地部（２）の表面に凹凸形状のフェルト又は合成ゴム製若しくは合成樹脂製の滑り止め部（３）を長手方向の中心線に沿って該カバー接地部（２）より狭い幅で帯状に備えたことを特徴としたタイヤの滑り止め用カバー。【選択図】図１
2019034702.tif 000002
【特許請求の範囲】
【請求項１】
シート体から成る布製のタイヤカバー（１）であって、タイヤトレッドを覆う部分であるカバー接地部（２）の表面に凹凸形状のフェルト又は合成ゴム製若しくは合成樹脂製の滑り止め部（３）を長手方向の中心線に沿って該カバー接地部（２）より狭い幅で帯状に備えたことを特徴としたタイヤの滑り止め用カバー。
【請求項２】
上記カバー接地部（２）の表面に上記滑り止め部（３）を一体化させて設けたことを特徴とした請求項１記載のタイヤの滑り止め用カバー。
【請求項３】
上記カバー接地部（２）の表面と上記滑り止め部（３）の裏面とを脱着可能としたことを特徴とした請求項１記載のタイヤの滑り止め用カバー。
【発明の詳細な説明】
【技術分野】
【０００１】  この発明は、自動車タイヤの簡易的な滑り止め装置に関する。
【背景技術】
【０００２】  従来、都会のドライバーは、冬でも殆んど積雪しない為、本格的な滑り止め装置を持たない。突発的な雪に対しては下記の特許文献に示すようにタイヤトレッドに被せる簡易的な布製などの軽量かつ小型の滑り止め用カバーをトランクに収納している。
【先行技術文献】
【特許文献】
【０００３】
【特許文献１】特表２００２−５４１００７号公報
【特許文献２】特開２００８−１１０７０２号公報
【発明の概要】
【発明が解決しようとする課題】
【０００４】  上記特許文献１，２の滑り止め用カバーは起毛した合成繊維や、繊維の編み方や配置角度を工夫して構成しているが、深い積雪や硬い氷上では効果が充分に発揮出来なかった。
【課題を解決するための手段】
【０００５】  本発明は、上記従来の滑り止め用カバーが抱える問題点を有効に解決する為に開発されたものである。【０００６】  要述すると、本発明に係る滑り止め用カバーは、シート体から成る布製のタイヤカバー（１）であって、タイヤトレッドを覆う部分であるカバー接地部（２）の表面に凹凸形状のフェルト又は合成ゴム製若しくは合成樹脂製の滑り止め部（３）を長手方向の中心線に沿って該カバー接地部（２）より狭い幅で帯状に備えたことを特徴としたタイヤの滑り止め用カバーである。【０００７】    好ましくは上記カバー接地部（２）の表面に上記滑り止め部（３）を一体化させて設ける。又は、上記カバー接地部（２）の表面と上記滑り止め部（３）の裏面とを脱着可能とする。
【発明の効果】
【０００８】  カバー接地部（２）の表面に備えたフェルト又は合成ゴム製若しくは合成樹脂製の凹凸形状やの滑り止め部（３）を長手方向の中心線に沿って該カバー接地部（２）より狭い幅で帯状に設けたことにより、深い積雪や硬い氷上でも滑り止め効果を極めて有効に発揮できる。【０００９】  また、滑り止め部（３）をカバー接地部（２）の幅よりも狭い幅にすることにより軽量化及びコストダウンを図ることができる。さらに、タイヤサイズの適応範囲が広がる。
そして、タイヤの接地面が小さくなる為、単位当たりの重量が増して、滑り止めの効果が増した。【００１０】    また、カバー接地部（２）に滑り止め部（３）を直に、融着等して一体化することにより滑り止め部（３）の滑り止め効果や生産性を向上することができる。【００１１】    また、カバー接地部（２）と滑り止め部（３）とを脱着可能とし別体にすることにより滑り止め部（３）のカバー接地部（２）との交換やメンテナンス性を向上することができる。
【図面の簡単な説明】
【００１２】
【図１】本発明に係るタイヤの滑り止めカバーを示す断面図。
【図２】第一実施例に係るタイヤの滑り止めカバーを示す斜視図。
【図３】第二実施例に係るタイヤの滑り止めカバーを示す展開図。
【図４】第三実施例に係るタイヤの滑り止めカバーを示す斜視図。
【図５】第四実施例に係るタイヤの滑り止めカバーを示す斜視図。
【図６】第五実施例に係るタイヤの滑り止めカバーを示す斜視図。
【発明を実施するための形態】
【００１３】  以下、本発明を実施するための最良の形態について、図１〜図６に基づき説明する。
【００１４】図１は本発明に係るタイヤの滑り止めカバーの請求項１を示した図である。
〈第１実施例〉
図２は本発明に係る請求項１のタイヤの滑り止めカバーの第一実施例を示している。
本実施例においては円筒形状のタイヤカバーのカバー接地部（２）に凹凸形状のキャタピラ状の滑り止め部（３）を設けたものである。
【００１５】    〈第２実施例〉
図３は本発明に係る請求項１のタイヤの滑り止めカバーの第二実施例を示している
本実施例においてはベルト形状のタイヤカバーのカバー接地部（２）に凹凸形状のキャタピラ状の滑り止め部（３）を設けたものである。
【００１６】    〈第３実施例〉
図４は本発明に係る請求項２のタイヤの滑り止めカバーの第三実施例を示している。
本実施例においてはカバー接地部（２）に直に凸形状の横縞状の滑り止め部（３）を融着等で一体化して設けたもので滑り止め効果や生産性を向上することができる。
また、本実施例においては滑り止め部（３）にスパイクピン（４）も備えている。
【００１７】    〈第４実施例〉
図５は本発明に係る請求項３のタイヤの滑り止めカバーの第四実施例を示している。
そして滑り止め部（３）は凹凸状のラダー形状でカバー接地部（２）より必要最小限に狭い幅の実施例である。
また、本実施例においてはカバー接地部（２）と滑り止め部（３）とを別体に面ファスナー等で設けたもので新品との交換やメンテナンス性を向上することができる。
【００１８】    〈第５実施例〉
図６は本発明に係る請求項３のタイヤの滑り止めカバーの第五実施例を示している。
そして滑り止め部（３）は凹凸状が厚めのフェルトでキャタピラ状の滑り止め部（３）を設けたものである。又、本実施例でもフェルトは摩耗し易いのでカバー接地部（２）と滑り止め部（３）とを別体に面ファスナー等で設けて新品との交換できる。
又、滑り止め部（３）にスパイクピンを設けると摩耗を防止し、フェルトスパイクとなり、滑り止め効果も増す。
又、本発明のタイヤカバーの素材はポリプロピレンやアラミド系など強靭な化学繊維等が望ましい。
【符号の説明】
【００１９】１：タイヤカバー
２：カバー接地部
３：滑り止め部
４：スパイクピン
【図１】
2019034702.tif 000003
【図２】
2019034702.tif 000004
【図３】
2019034702.tif 000005
【図４】
2019034702.tif 000006
【図５】
2019034702.tif 000007
【図６】
2019034702.tif 000008
(57)【要約】【課題】段ボールと比べて、外部からの振動や衝撃を十分にやわらげられる緩衝材を提供する。【解決手段】緩衝材１０は、段ボール１２と、補強部材１４を備えている。段ボール１２は、波形に成形された紙製の中芯１６と、中芯１６の片面に接着された紙製のライナ１８を備えている。補強部材１４は、中芯１６とライナ１８で囲まれた空間に設けられている。補強部材１４は、樹脂製で円筒形状を備えている。【選択図】図１
2019034758.tif 000002
【特許請求の範囲】
【請求項１】
波形に成形された紙製の中芯と、前記中芯の片面に接着された紙製のライナとを備える段ボールと、
前記中芯と前記ライナで囲まれた空間の一つ以上に設けられた円筒状または円柱状の補強部材と、
を有する緩衝材。
【請求項２】
波形に成形された紙製の中芯と、前記中芯の両面に接着された２枚の紙製のライナとを備える段ボールと、
前記中芯と一方の前記ライナで囲まれた空間の一つ以上、および前記中芯と他方の前記ライナで囲まれた空間の一つ以上に設けられた円筒状または円柱状の補強部材と、
を有する緩衝材。
【請求項３】
請求項１または２において、
前記補強部材が、樹脂製、金属製、竹製、および木製の少なくとも一種である緩衝材。
【請求項４】
請求項１から３のいずれかにおいて、
前記補強部材が円筒形状を備えている緩衝材。
【発明の詳細な説明】
【技術分野】
【０００１】
本発明は、外部からの振動や衝撃をやわらげるために、被保護体を包装する緩衝材に関するものである。
【背景技術】
【０００２】
ガラス製や陶磁器製等の破損しやすい物品、または電子機器や精密機械等の衝撃に弱い物品などの被保護体を、段ボールで包装して保護することが知られている。しかしながら、段ボールの保護では、振動や衝撃をやわらげるのに不十分な場合もある。
【発明の概要】
【発明が解決しようとする課題】
【０００３】
本発明はこのような事情に鑑みてなされたものであり、段ボールと比べて、外部からの振動や衝撃をより一層やわらげられる緩衝材を提供することを目的とする。
【課題を解決するための手段】
【０００４】
本発明のある態様の緩衝材は、波形に成形された紙製の中芯と、中芯の片面に接着された紙製のライナとを備える段ボールと、中芯とライナで囲まれた空間の一つ以上に設けられた円筒状または円柱状の補強部材とを有する。
【０００５】
本発明の他の態様の緩衝材は、波形に成形された紙製の中芯と、中芯の両面に接着された２枚の紙製のライナとを備える段ボールと、中芯と一方のライナで囲まれた空間の一つ以上、および中芯と他方のライナで囲まれた空間の一つ以上に設けられた円筒状または円柱状の補強部材とを有する。
【発明の効果】
【０００６】
本発明の緩衝材は、紙製の段ボールの中芯とライナで囲まれた空間の内部に円筒状または円柱状の補強部材を備えている。この補強部材の存在によって緩衝力が向上する。このため、本発明の緩衝材で包装した被保護体は、外部からの振動や衝撃を受けにくくなる。
【図面の簡単な説明】
【０００７】
【図１】本発明の第一実施形態の緩衝材の斜視図。
【図２】本発明の第一実施形態の緩衝材の上面図。
【図３】本発明の第二実施形態の緩衝材の上面図。
【図４】本発明の第一実施形態の緩衝材の使用状況を示す斜視図。
【発明を実施するための形態】
【０００８】
以下、本発明の緩衝材について、図面を参照しながら実施形態に基づいて説明する。なお、図面は、緩衝材、緩衝材を構成する部材、および緩衝材の周辺部材を模式的に表したものであり、これらの実物の寸法および寸法比は、図面上の寸法および寸法比と必ずしも一致していない。また、特にことわらない限り、本明細書では便宜上、図１に示す緩衝材の向きを基準に「上」、「下」、および「横」などの方向を表す。重複説明は適宜省略し、同一部材には同一符号を付与することがある。
【０００９】
図１は、本発明の第一実施形態に係る緩衝材１０を示している。図２は、緩衝材１０の上面を示している。緩衝材１０は、段ボール１２と、補強部材１４を備えている。段ボール１２は、波形に成形された紙製の中芯１６と、中芯１６の片面に接着された紙製のライナ１８を備えている。そして、段ボール１２は、中芯１６とライナ１８で囲まれた空間２０を備えている。補強部材１４は、空間２０の一つ以上に上下方向に設けられている。本実施形態の緩衝材１０のように、全ての空間２０に補強部材１４が設けられていてもよいし、例えば、一つおきの空間２０に補強部材１４が設けられていてもよい。
【００１０】
補強部材１４は円筒状または円柱状である。このため、中芯１６またはライナ１８に横方向から加わる振動や衝撃を、補強部材１４がよりやわらげられる。本実施形態のように補強部材１４が円筒状であれば、補強部材１４の中空部が変形して外部からの振動や衝撃を吸収できるのでより好ましい。補強部材１４の材質は特に制限がない。すなわち、補強部材１４は、紙製、竹製、木製、金属製、または樹脂製等であってもよい。
【００１１】
なお、補強部材１４が樹脂製で円筒形状を備えていれば、緩衝材１０の軽量化が可能であること、補強部材１４を例えば市販のストローで作製できること、不要になった緩衝材１０を焼却処分できることなどの観点から特に好ましい。緩衝材１０は、図１に示すように、段ボール１２を製造した後に、補強部材１４を空間２０に上から差し込んで製造してもよいし、中芯１６の波の凹部に補強部材１４を配置した後、ライナ１８を中芯１６に接着して製造してもよい。
【００１２】
図３は本発明の第二実施形態に係る緩衝材３０を示している。緩衝材３０は、波形に成形された紙製の中芯１６と、中芯１６の両面に接着された２枚の紙製のライナ１８，３２とを備える段ボール３４を使用している点が、緩衝材１０と異なる。補強部材１４は、中芯１６と一方のライナ１８で囲まれた空間２０の一つ以上、および中芯１６と他方のライナ３２で囲まれた空間３６の一つ以上に設けられている。本実施形態では、全ての空間２０，３６に補強部材１４が設けられている。緩衝材３０の他の構成部材は、緩衝材１０の対応する構成部材と同じである。
【００１３】
図４は、緩衝材１０の使用状況を示している。図４に示すように、本使用状況では、緩衝材１０は、被保護体であるガラス製の飲料入りビン３８を包装している。なお、緩衝材１０の外周面と内周面を逆にして、ガラス製の飲料入りビン３８を包装してもよい。
【符号の説明】
【００１４】
１０  緩衝材
１２  段ボール
１４  補強部材
１６  中芯
１８  ライナ
２０  空間
３０  緩衝材
３２  ライナ
３４  段ボール
３６  空間
３８  飲料入りビン
【図１】
2019034758.tif 000003
【図２】
2019034758.tif 000004
【図３】
2019034758.tif 000005
【図４】
2019034758.tif 000006
(57)【要約】【課題】  本発明は、靴ベラ不要で特に高齢者や障碍者が人手を借りずにスルッと楽に靴を履けて更に靴が傷まないように踵を踏みつぶさないようにガードする為の物を提供する。【解決手段】  小さな板状の物の上部を靴の踵の部分の縁を挟み込むように折り曲げた物を靴の外側の踵の一部に貼り付けて、踵の部分を支えて靴を履く時踏んでも、曲がったりつぶれたりしないようにガードする。【選択図】図１
2019034102.tif 000002
【特許請求の範囲】
【請求項１】
上部を靴の踵の部分の縁を挟み込むように折り曲げた小さな板状の物を靴の外側の踵の一部分に貼り付けて、踵の部分を靴を履く時踏んでも折れ曲がったり、つぶれたりしないように支えてガードする物である。
【発明の詳細な説明】
【技術分野】
【０００１】  本発明は、靴ベラ不要で特に高齢者や障碍者が人手を借りずに立ったまゝで、スルッと靴を履けて更に靴の傷みを防ぐ為、踵を踏みつぶさないようにガードする物に関する物である。
【背景技術】
【０００２】従来「靴ベラいらず」と言うものが特許で既にあるが、それは靴の中にガードする物が中に装着するので足との接触面に違和感、靴擦れの心配があると思うが、本発明は靴の外側にガードする物を接着するので足の違和感は殆ど無い。
【先行技術文献】
【特許文献】
【０００３】
【特許文献１】
【特許文献２】
【発明の概要】
【発明が解決しようとする課題】
【０００４】従来より、次のような問題点があった。
（イ）高齢者や障碍者は靴ベラを使用する為に、しゃがむという動作が出来ずに靴を履くたび人手を煩わせるという事が大変苦痛であった。
（ロ）健常者でも靴の後部を踏んで、踵部分が折れてしまうので靴ベラを使用して履くという事はやはり大変なストレスであった。
（ハ）学生の様な若い子でも親に靴が傷むので、かかとを踏みつぶさないようにと注意される事が多い。
（ニ）それゆえ誰にでも必要とされると思うので簡便で、安価な物をと考案した。
（ホ）外部からはかなり目立つので逆に外側に貼る部分を有効に使えないかと考えた。
【課題を解決するための手段】
【０００５】  靴の外側の踵の一部に、踵を踏んでも折れ曲がらないように板状の物（１）を靴の形に添うように両面テープ（３）で張り付けるが上部は少々折り曲げて（２）踵の縁を挟み込むように引っ掛けて装着する。
靴の中に少々折り曲げた部分は足の靴擦れ防止用のテープ（４）を貼って固定する。
しかし、靴の外側に貼った物は、外部から見るとかなり目障りな物と思われるので、逆にこの部分に可愛いリボン、お花、ビーズ等で装飾（６）したり、イラスト等でも楽しめる物とした。
又反射板等を貼ると高齢者等の危険防止として有効である。
材質はお湯やドライヤーなどの熱で柔らかくなる何度でも成型可能なプラスチック等で靴の形に添うように簡単に形を整えられる物を使用し、長さも靴の深さに合わせてハサミなどで調節する。
【発明の効果】
【０００６】（イ）靴を履く時靴ベラを使わずにしゃがむ事なく立ったまゝで履くことが出来る。
（ロ）高齢者や障碍者が人手を煩わせずに靴を履く事が出来る。
（ハ）踵を踏みつぶさないので靴がいたまない。
（ニ）誰もを経験したであろう靴の履きずらさのストレスを解消出来る。
【図面の簡単な説明】
【０００７】
【図１】本発明の斜視図である。
【図２】本発明の使用の靴の内部の踵側への装着図である
【図３】本発明の使用の靴の外側の踵部の装着図である。
【図４】本発明を靴へテープで接着した図である。
【図５】本発明の装飾例の図である。
【図６】本発明の装飾例の図である。
【発明を実施するための形態】
【０００８】（イ）靴の後部の外側に踵が折れ曲がらないように支える為、板状の物（１）をそれぞれの靴の踵の形に添うように両面テープ（３）で張り付けるが上部は靴の縁に少々折り曲げて（２）引っ掛けるよう踵の縁を挟んで装着する。
（ロ）その縁の部分には足を靴の中に入れやすく、スルッと履けるべくガイドするように滑り剤等を塗布する。
（ハ）靴の中に少々折り曲げた部分は足の靴擦れ防止用のテープ（４）を貼って固定する。
（ニ）しかし、外側に貼った本発明品は外部から見るとかなり目障りな物と思われるので、逆にセンス良くファッショナブルにして、この部分に可愛いリボン、お花、ビーズで装飾したり、イラスト等でも楽しめる物とした。
反射板等を貼ると危険防止としても効果的である。
（ホ）材質はお湯やドライヤーなどの熱で柔らかくなる何度でも成型可能なプラスチックで簡単に靴の形に添うように形を整えられるプラスチック等を使用し長さも靴の深さに合わせてハサミなどで簡単に調節する。
【符号の説明】
【０００９】１  折り曲げ部分が付いたアール状の板。
２  靴の踵部の縁が入る折り曲げ部
３  両面テープで靴の外側に固定する面。
４  靴擦れ防止用テープで靴の内側の踵部に貼って固定する。
５  靴
６  装飾品
【図１】
2019034102.tif 000003
【図２】
2019034102.tif 000004
【図３】
2019034102.tif 000005
【図４】
2019034102.tif 000006
【図５】
2019034102.tif 000007
【図６】
2019034102.tif 000008
(57)【要約】      （修正有）【課題】あお向けになって腕力や腹筋を自由な角度で鍛えることを可能な運動器具を提供する。【解決手段】押す強力バネのついた把手と引っぱる強力バネのついた把手をアーチ型のパイプに取り付け自由にスライドさせ、さまざまな角度での運動を可能とする。【選択図】図１
2019034104.tif 000002
【特許請求の範囲】
【請求項１】
２種類の強力バネのついた把手をパイプに通すことで自由な位置でのトレーニングが可能となる運動器具。
【請求項２】
押すバネがついた把手をアーチ型のパイプに着けた時には腹筋が鍛えられ、引くバネがついた把手を着けた時は腕力を鍛えることが可能になる運動器具である。
【発明の詳細な説明】
【技術分野】
【０００１】本発明はあおむけになってその上にアーチ型をしたパイプに強力バネがついた把手を取り付けることによって押したり引っぱったりすることで体を鍛える運動器具である。
【背景技術】
【０００２】従来の運動器具は水平か垂直方向に体に負荷をかけるものが多い。
【発明の開示】
【発明が解決しようとする課題】
【０００３】上述の如く水平、垂直方向以外のさまざまな方向への体の負荷をかけられるようにすることを課題とする。
【課題を解決するための手段】
【０００４】この課題を解決するために本発明はアーチ型のパイプに強力バネのついた把手を取り付け、その把手がどのような角度にもスライドするようにし、またこの強力バネは押す目的のものと引っぱる目的のものの２種類の把手を用意することでさらに体を鍛えやすくすることが出来る。
【発明の効果】
【０００５】本発明によりさまざまな角度にバネのついた把手をあわせ押したり引っぱることが可能なので腕の筋肉だけでなく少し上半身をうかせてすることで腹筋も鍛えられるのである。
【発明を実施するための最良の形態】
【０００６】図１はあお向けになって運動するものなので体に敷くクッションのついた板とアーチ型のパイプにバネつきの把手がついた全体図の斜視図である。
【産業上の利用可能性】
【０００７】この３Ｄマッスルプロはあお向けで使用するものなので幅広い年代の人々に使いやすい健康器具としての利用の可能性を有する。
【図面の簡単な説明】
【０００８】
【図１】本発明の外観斜視図である。
【図２】強力バネのついた把手の断面図である。
【図３】強力バネのついた把手の側面図である。
【符号の説明】
【０００９】１．半円のアーチ型のパイプよりもう少し径の大きいパイプに強力バネのついた把手をとりつけたもの。
２．体に敷くマット
３．高さ調整をする時に固定するボルト
４．強力バネ
５．把手
【図１】
2019034104.tif 000003
【図２】
2019034104.tif 000004
【図３】
2019034104.tif 000005
(57)【要約】      （修正有）【課題】パソコン等マウス操作を多用する作業（ＣＡＤ等）の快適性と、疲労軽減を目的としたアームレスト並びに、引き出し付の机にも取り付け可能なアームレストを提供する。【解決手段】腕あて部を回転ローラー３とスプリングにより前後左右自在に追従可能とし、前記回転ローラー３の表面に突起を設けマッサージ効果を高めたアームレストである。また、机１と引き出しの隙間に引張り金具をはめ込んで締め付けネジ等を用いて固定することで、引き出し付の机にも取り付け可能である。【選択図】図１
2019034103.tif 000002
【特許請求の範囲】
【請求項１】
腕当て部に回転ローラーを用い、マウス（腕）の前後の動きに対しては回転ローラー、左右の動きに対してはローラーの両側のスプリングを用いて、前後左右自在にマウスの動きに追従させるものとする。
また、回転ローラー上に適度な突起又は溝等を付けることで、さらにマッサージ効果を高める。以上を特徴とするアームレスト。
【請求項２】
引き出し付の机の場合は、机と引き出しの隙間に金具を入れて、アームレスト本体を引き出しに取り付ける形態を特徴とする、請求項１記載のアームレスト。
【発明の詳細な説明】
【技術分野】
【０００１】本発明は、パソコン等マウス操作時のアームレストに関する。
【背景技術】
【０００２】従来パソコン用アームレストには固定式（張り付け型、マウスパット一体型）のものと、机にクランプで固定する間節アーム式のものが主流になっている。
【先行技術文献】
【特許文献】
【０００３】
【特許文献１】
【０００４】
【非特許文献１】
【発明の概要】
【発明が解決しようとする課題】
【０００５】以上に述べた従来のアームレストでは、次の問題があった。
固定式ではマウス移動時に腕との摩擦によるストレスと疲労感があった。
間節アーム式のアームレストでは取り付けにクランプを使うため、引き出し付の机には設置が困難だった。また本体が大きくなるため、設置スペースの問題と違和感があった。【０００６】本発明は、このような従来の構成が有していた問題を解決しようとするものであり、
イ）マウス操作における快適性と疲労軽減
ロ）コンパクト化（設置スペースを小さくする）
ハ）引き出し付の机でも設置可能にする。
以上を実現することを目的とするものである。
【課題を解決するための手段】
【０００７】そして、本発明は上記目的を達成するために（図２、図３）
腕当て部に回転ローラーを用い、マウス（腕）の前後の動きに対しては回転ローラー、左右の動きに対してはローラーの両側のスプリングを用いて、前後左右自在にマウスの動きに追従させるものとする。【０００８】また、回転ローラー上に適度な突起又は溝等を付けることで、さらにマッサージ効果を高める。【０００９】さらに、腕当て部を手首の中間部にすることで、机からの出っ張りをおおむね１００ミリ程度におさえてコンパクト化する。【００１０】また、引き出し付の机の場合は、机と引き出しの隙間に金具を入れて、アームレスト本体を引き出しに取り付ける形態（図４）のものとする。
【発明の効果】
【００１１】回転ローラーが前後左右自在に追従することにより、着衣時でも、汗ばんだ時でもスムーズにマウス操作を行うことができ、回転ローラーとその上に付けた突起によるマッサージ効果により疲労感が軽減される。
特にＣＡＤ操作時等はマウス操作を多用するので疲労緩和が要求される。また、マウスを操作しない時でも、手の平や腕を転がすだけでリラックスできる。【００１２】アームレスト全体をコンパクトにしたことにより存在が小さくなり、会社等で使用してもスペースの制約、違和感が少ない。【００１３】引き出し付の机の場合、これまでの多くは取り付けできないか、取り付いても引き出しが機能しなくなるためアームレストの設置を諦めていたが、引き出し自体に取り付けることによりそれらの問題を解消できる。
【図面の簡単な説明】
【００１４】
【図１】本発明（使用時）の斜視図
【図２】同断面図
【図３】同側面図
【図４】引き出し取り付けタイプ側面図
【発明を実施するための形態】
【００１５】以下、本発明の実施の形態を図１〜図４に基づいて説明する。
【００１６】図１〜図３については本発明の基本になる形態となる。
【００１７】机（１）にアーム（２）と一体化されたクランプを締め付けネジ（４）で固定する（このとき、締め付けネジの代わりに六角レンチ等を使用してもよい）
【００１８】回転軸（５）には部分的にネジが切ってあり、ボルト（７，８，９）等を使いアーム（２）に固定できる。
回転ローラー（３）は前後にスプリング（６）を組み込むことで左右の動きが可能になる。
【００１９】また、ボールベアリング（１１）を入れることで前後左右の動きがよりスムーズになる。
【００２０】回転ローラー（３）を入れるだけでマッサージ効果を期待できるが、適度な突起又は溝等を付けることでさらにマッサージ効果を高めることができる。
【００２１】回転ローラー（３）の数については、説明図では２個としているが、コストによっては１個もしくは、３個以上でもよい。
【００２２】図４は引き出し付の机に取り付ける形態になる。前項とは別のアームを使用することになるが、机（１）と引き出し（１０）の隙間に引張り金具（１３）をはめ込んで締め付けネジ（４）または、六角レンチ等で固定する。
【符号の説明】
【００２３】１．机
２．アーム
３．回転ローラー
４．締め付けネジ
５．回転軸（ネジ付丸棒）
６．スプリング
７．化粧ナット等
８．長ナット等
９．座付ナット等
１０．引き出し
１１．ボールベアリング
１２．ワッシャー
１３．引張り金具
【図１】
2019034103.tif 000003
【図２】
2019034103.tif 000004
【図３】
2019034103.tif 000005
【図４】
2019034103.tif 000006